【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
光ピックアップの光軸を調整する光軸調整装置であって、
前記光ピックアップの光ディスクの半径方向のスキュー調整を行うラジアルスキュー調整手段と、
前記光ディスクの接線方向のスキュー調整を行うタンジェンシャルスキュー調整手段と、
前記両スキュー調整手段とは別に、前記光ピックアップの光ディスクに対する高さ方向の調整を行う高さ調整手段を備えることを特徴とする光ピックアップの光軸調整装置。
【請求項２】
光ピックアップと、該光ピックアップをディスク半径方向に駆動する駆動軸とを備え、
前記駆動軸をフレームに保持する位置を調整することにより前記光ピックアップの光軸を調整する光ピックアップの光軸調整装置であって、
前記駆動軸の先端部を、前記フレームに対して上下方向に移動可能に前記フレームに取り付け、前記光ピックアップの光ディスクに対する高さ方向の調整を行う高さ調整手段と、
前記駆動軸の他端部を、前記フレームに対して上下方向に移動可能に前記フレームに取り付け、前記光ピックアップの光ディスクの半径方向のスキュー調整を行うラジアルスキュー調整手段と、
ガイド部材を、前記フレームに対して上下方向に移動可能に前記フレームに取り付け、前記光ピックアップの光ディスクの接線方向のスキュー調整を行うタンジェンシャルスキュー調整手段とを備えることを特徴とするピックアップの光軸調整装置。
【請求項３】
ディスク装置の筐体にフレームの一端が回転可能に軸支され、前記フレームの他端には光ディスクを回転させるターンテーブルを備え、前記フレームの中央部には光ディスクにアクセスする光ピックアップを備えたスイングアームにおける前記光ピックアップの光軸調整装置であって、
前記光ピックアップを前記フレームの長手方向に移動させるための駆動軸と、
前記駆動軸に平行な部分を有し、前記光ピックアップの移動時のガイドとなる移動ガイドと、
前記駆動軸と前記移動ガイドとを、その両端部において両者の位置関係が変化しないように固定する先端側固定部材及び基部側固定部材と
前記駆動軸の先端部を、前記フレームに対して上下方向に移動可能に前記フレームに取り付け、調整ねじの調整によって前記光ピックアップの光ディスクに対する高さ方向の調整を行う高さ調整機構と、
前記駆動軸の基部側を、前記フレームに対して上下方向に移動可能に前記フレームに取り付け、調整ねじの調整によって前記光ピックアップの光ディスクの半径方向のスキュー調整を行うラジアルスキュー調整機構、及び、
前記移動ガイドの中央部近傍を、前記フレームに対して上下方向に移動可能に前記フレームに取り付け、調整ねじの調整によって前記光ピックアップの光ディスクの接線方向のスキュー調整を行うタンジェンシャルスキュー調整機構とを備えることを特徴とするピックアップの光軸調整装置。
【請求項４】
請求項３に記載のピックアップの光軸調整装置であって、
前記移動ガイド、前記先端側固定部材、及び基部側固定部材が、１枚の金属板の加工体から構成されており、前記先端側固定部材と基部側固定部材に相当する前記金属板の部位が直角に折り曲げられた部分に、前記駆動軸が回転自在に挿通されて保持されており、
前記光ピックアップには前記金属板の前記移動ガイド部分を滑らかに摺動するための係合部材が設けられていることを特徴とするピックアップの光軸調整装置。
【請求項５】
請求項４に記載のピックアップの光軸調整装置であって、
前記１枚の金属板が平面視コ字状の金属板であることを特徴とするピックアップの光軸調整装置。
【請求項６】
請求項３から５の何れか１項に記載のピックアップの光軸調整装置であって、
前記高さ調整機構が、
前記フレームの側面に設けられた取付孔に回動自在に挿通される回転軸を備えた回転レバー部と、
前記回転レバー部に対して前記回転軸の突設方向と反対の方向に垂直に接続する本体部と、
前記本体部に接続して前記駆動軸の先端部を回転可能に保持する駆動軸の保持部、及び
前記回転軸から遠くなる方向に前記本体部から延伸されて前記フレームの底面に設けられた支持部に対してばねとねじで取り付けられ、前記ねじの回動によって前記支持部に対して前記本体部の高さを可変する調整部とから構成されることを特徴とするピックアップの光軸調整装置。
【請求項７】
請求項３から６の何れか１項に記載のピックアップの光軸調整装置であって、前記駆動軸の基部側の端部に従動歯車が設けられており、この従動歯車がモータによって回転する駆動歯車に歯合している場合に、
前記ラジアルスキュー調整機構が、
前記駆動歯車の回転軸に一端が回動自在に軸支され、他端に設けられた貫通孔によって前記従動歯車から突出する前記駆動軸の端部を回転自在に保持する保持レバーと、
前記保持レバーの前記貫通孔の近傍が延伸されて前記フレームの底面に設けられた取付部に対してばねとねじで取り付けられ、前記ねじの回動によって前記取付部に対して前記貫通孔の高さを、前記従動歯車を前記駆動歯車の周りを回転させながら可変する調整部とから構成されることを特徴とするピックアップの光軸調整装置。
【請求項８】
請求項７に記載のピックアップの光軸調整装置であって、
前記駆動歯車の回転軸がウォーム歯車によってモータに接続されており、前記モータが前記回転軸に対して直交する方向に配置されていることを特徴とするピックアップの光軸調整装置。
【請求項９】
請求項３から７の何れか１項に記載のピックアップの光軸調整装置であって、
前記タンジェンシャルスキュー調整機構が、
前記フレームの底面に設けられたねじ孔と、
前記移動ガイドの中央部近傍の、前記ねじ孔に対向する位置に設けられた貫通孔と、
前記ねじ孔と前記貫通孔の間に配置される圧縮ばね、及び
前記貫通孔と前記圧縮ばねとを挿通して前記ねじ孔に螺着されるねじとから構成されることを特徴とするピックアップの光軸調整装置。
【請求項１０】
請求項９に記載のピックアップの光軸調整装置であって、
前記フレ−ムの底面の前記ねじ穴の周囲に、前記圧縮ばねの位置決めと保持とを行うホルダ部材が設けられていることを特徴とするピックアップの光軸調整装置。
【請求項１１】
光ディスクにアクセスする光ピックアップが、この光ピックアップの駆動機構と共にスイングアームに搭載され、光ピックアップの駆動機構が、前記光ピックアップを前記スイングアームの長手方向に移動させるための駆動軸と、前記駆動軸に平行な部分を有し、前記光ピックアップの移動時のガイドとなる移動ガイドと、前記駆動軸と前記移動ガイドとを、その両端部において両者の位置関係が変化しないように固定する先端側固定部材及び基部側固定部材と前記駆動軸の先端部を、前記フレームに対して上下方向に移動可能に前記フレームに取り付け、調整ねじの調整によって前記光ピックアップの光ディスクに対する高さ方向の調整を行う高さ調整機構と、前記駆動軸の基部側を、前記フレームに対して上下方向に移動可能に前記フレームに取り付け、調整ねじの調整によって前記光ピックアップの光ディスクの半径方向のスキュー調整を行うラジアルスキュー調整機構、及び、前記移動ガイドの中央部近傍を、前記フレームに対して上下方向に移動可能に前記フレームに取り付け、調整ねじの調整によって前記光ピックアップの光ディスクの接線方向のスキュー調整を行うタンジェンシャルスキュー調整機構とを備えるディスク装置におけるピックアップの光軸調整方法であって、
まず、前記高さ調整機構の前記調整ねじの調整によって前記光ピックアップの光ディスクに対する高さ方向の調整を行う第１の調整を行い、
次に、前記ラジアルスキュー調整機構の前記調整ねじの調整によって前記光ピックアップの光ディスクの半径方向のスキュー調整を行う第２の調整を行い、
最後に、前記タンジェンシャルスキュー調整機構の前記調整ねじの調整によって前記光ピックアップの光ディスクの接線方向のスキュー調整を行う第３の調整を行うことを特徴とするピックアップの光軸調整方法。
【請求項１２】
光ディスクにアクセスする光ピックアップが、この光ピックアップの駆動機構と共にスイングアームに搭載され、光ピックアップの駆動機構が、前記光ピックアップを前記スイングアームの長手方向に移動させるための駆動軸と、前記駆動軸に平行な部分を有し、前記光ピックアップの移動時のガイドとなる移動ガイドと、前記駆動軸と前記移動ガイドとを、その両端部において両者の位置関係が変化しないように固定する先端側固定部材及び基部側固定部材と前記駆動軸の先端部を、前記フレームに対して上下方向に移動可能に前記フレームに取り付け、調整ねじの調整によって前記光ピックアップの光ディスクに対する高さ方向の調整を行う高さ調整機構と、前記駆動軸の基部側を、前記フレームに対して上下方向に移動可能に前記フレームに取り付け、調整ねじの調整によって前記光ピックアップの光ディスクの半径方向のスキュー調整を行うラジアルスキュー調整機構、及び、前記移動ガイドの中央部近傍を、前記フレームに対して上下方向に移動可能に前記フレームに取り付け、調整ねじの調整によって前記光ピックアップの光ディスクの接線方向のスキュー調整を行うタンジェンシャルスキュー調整機構とを備えるディスク装置におけるピックアップの光軸調整方法であって、
まず、前記ラジアルスキュー調整機構の前記調整ねじの調整によって前記光ピックアップの光ディスクの半径方向のスキュー調整を行う第１の調整を行い、
次に、前記高さ調整機構の前記調整ねじの調整によって前記光ピックアップの光ディスクに対する高さ方向の調整を行う第２の調整を行い、
最後に、前記タンジェンシャルスキュー調整機構の前記調整ねじの調整によって前記光ピックアップの光ディスクの接線方向のスキュー調整を行う第３の調整を行うことを特徴とするピックアップの光軸調整方法。
【請求項１３】
請求項１１又は１２に記載のピックアップの光軸調整方法であって、前記光ピックアップに電気特性測定装置が接続されており、光ディスクからの反射光の電気的特性をモニタしながらその特性が最適値になるように、前記第１から第３の調整における前記ねじの調整を行うことを特徴とするピックアップの光軸調整方法。
【請求項１４】
光ピックアップの光軸を調整する光軸調整装置を備えるディスク装置であって、前記光ピックアップの光軸調整装置が、
前記光ピックアップの光ディスクの半径方向のスキュー調整を行うラジアルスキュー調整手段と、
前記光ディスクの接線方向のスキュー調整を行うタンジェンシャルスキュー調整手段と、
前記両スキュー調整手段とは別に、前記光ピックアップの光ディスクに対する高さ方向の調整を行う高さ調整手段を備えることを特徴とするディスク装置。
【手続補正２】
【補正対象書類名】明細書
【補正対象項目名】発明の名称
【補正方法】変更
【補正の内容】
【発明の名称】光ピックアップの光軸調整装置、調整方法及びディスク装置
【手続補正３】
【補正対象書類名】明細書
【補正対象項目名】０００１
【補正方法】変更
【補正の内容】
【０００１】
本発明は光ピックアップの光軸調整装置、調整方法及びディスク装置に関し、特に、ディスク装置においてディスクにアクセスする光ピックアップの光軸のスキュー調整装置及び調整方法に関する。
【手続補正４】
【補正対象書類名】明細書
【補正対象項目名】０００７
【補正方法】変更
【補正の内容】
【０００７】
そこで本発明は、前記従来の光ピックアップの光軸調整機構の課題を解消し、３方向の調整が必要なＤＶＤにおいても、簡素な構成で、光ピックアップの光ディスクからの高さ調整をまず行うことができ、次いでラジアルスキューの調整、又はタンジェンシャルスキューの調整を行うことができる光ピックアップの光軸調整置、調整方法及びディスク装置を提供することを目的としている。
【手続補正５】
【補正対象書類名】明細書
【補正対象項目名】００１２
【補正方法】変更
【補正の内容】
【００１２】
第３の原理構成は、光ピックアップの光軸を調整する光軸調整装置を備えたディスク装置において、光ピックアップの光ディスクの半径方向のスキュー調整を行うラジアルスキュー調整手段と、光ディスクの接線方向のスキュー調整を行うタンジェンシャルスキュー調整手段と、両スキュー調整手段とは別に、光ピックアップの光ディスクに対する高さ方向の調整を行う高さ調整手段を設けたことを特徴としている。
前記目的を達成する本発明の光ピックアップの光軸調整装置は、これらの原理構成に基づいて、以下の８つの形態が可能である。
【手続補正６】
【補正対象書類名】明細書
【補正対象項目名】００２５
【補正方法】変更
【補正の内容】
【００２５】
本発明の光ピックアップの光軸調整整置、調整方法及びディスク装置によれば、光ピックアップの高さ方向の調整、光ディスクの半径方向のスキュー調整、及び光ディスクの接線方向のスキュー調整の３方向の調整が必要なＤＶＤにおいても、簡素な構成で、光ピックアップの光ディスクからの高さ調整、ラジアルスキューの調整、及びタンジェンシャルスキューの調整を行うことができるという効果がある。
【手続補正７】
【補正対象書類名】明細書
【補正対象項目名】００３４
【補正方法】変更
【補正の内容】
【００３４】
図４は、図２（ｂ）で説明した駆動モータ２５とギヤ機構２９を除く光ピックアップ１０とその駆動機構２０を示すものであり、（ａ）は駆動機構２０の平面図、（ｂ）は駆動機構２０の正面図、（ｃ）は駆動機構２０の底面図、（ｄ）は駆動機構２０の背面図、（ｅ）は駆動機構２０の左側面図、（f）は駆動機構２０の右側面図である。図３の説明及びこれらの図から分かるように、移動ガイド２２、先端側ブリッジ２３、及び基部側ブリッジ２４は、１枚の金属板が折り曲げられて一体的に形成されている。先端側ブリッジ２３は移動ガイド２２の先端側がそのまま直角方向に延長されたものであり、その先端部は更に９０°折り曲げられてブラケット２３Ａが形成されている。ブラケット２３Ａは駆動軸２１の先端部を挿通して回転自在に保持するものである。基部側ブリッジ２４は、移動ガイド２２の基部側が直角方向に延長された後に９０°折り曲げられたものであり、その先端部において従動ギヤ２８が取り付けられた駆動軸２１の基部側を回転自在に保持するものである。なお、この図には押えばね１２の図示は省略してある。
【手続補正８】
【補正対象書類名】明細書
【補正対象項目名】００４９
【補正方法】変更
【補正の内容】
【００４９】
このような光ピックアップの光軸調整は、ディスク装置の工場出荷前の検査段階において実施され、光ピックアップの光軸調整が適切に行われた後は、前述の調整ねじ４１，５１，６１は固定剤によって固定され、ディスク装置の出荷後はディスク装置のユーザによって調整されることはない。従って、本発明の光ピックアップの光軸調整装置を内蔵したディスク装置では、工場出荷前の検査効率が向上するので、光ディスク装置の生産性が向上する。